(57)【要約】【課題】カラーブレイク現象の発生を抑制し、見やすさを向上する。【解決手段】異なる色の光を出射する複数の光源２，３，４と、該複数の光源２，３，４からの光を変調する光変調部７と、入力された複数の異なる色のサブフレーム画像データの大きさに応じて各サブフレーム画像データにサブフレーム時間を割り当てて、光源２，３，４および光変調部７を制御するサブフレーム制御部９とを備え、該サブフレーム制御部９は、前記サブフレーム画像データが小さくなるに従って、各サブフレーム画像データに割り当てるサブフレーム時間を短くするカラー画像表示装置１を提供する。【選択図】      図１
2008281707.tif 000002
【特許請求の範囲】
【請求項１】
異なる色の光を出射する複数の光源と、
該複数の光源からの光を変調する光変調部と、
入力された複数の異なる色のサブフレーム画像データの大きさに応じて各サブフレーム画像データにサブフレーム時間を割り当てて、前記光源および前記光変調部を制御するサブフレーム制御部とを備え、
該サブフレーム制御部は、前記サブフレーム画像データが小さくなるに従って、各サブフレーム画像データに割り当てるサブフレーム時間を短くするカラー画像表示装置。
【請求項２】
前記サブフレーム制御部が、サブフレーム画像データにおける複数画素の階調値を色別に分析して前記データゲインを各色のサブフレーム画像データに乗算して前記光変調部に出力するスケーリング部と、前記サブフレーム時間に応じて前記光源を点灯させるよう制御する点灯制御部とを備える請求項１に記載のカラー画像表示装置。
【請求項３】
前記画像信号分析部が、前記サブフレーム画像データにおける複数画素の階調値の最大値を色別に検出し、検出された色別の最大値に応じたサブフレーム時間を出力し、かつ、入力されるサブフレーム画像データの上限値を、前記検出された色別の最大値で除算した値を前記データゲインとして出力する請求項２に記載のカラー画像表示装置。
【請求項４】
前記異なる色全てのサブフレーム画像データを表示する１周期の時間であるフレーム時間を一定とし、
前記画像信号分析部から出力されるサブフレーム時間の合計がフレーム時間より短い場合に、光源を点灯しない非表示時間を設ける請求項２または請求項３に記載のカラー画像表示装置。
【請求項５】
前記画像信号分析部から出力されるサブフレーム時間の合計がフレーム時間の半分より短い場合に、全サブフレーム画像の表示を繰り返す請求項４に記載のカラー画像表示装置。
【発明の詳細な説明】
【技術分野】
【０００１】
本発明は、カラー画像表示装置に関するものである。
【背景技術】
【０００２】
従来、単板ＤＬＰ方式のカラー画像表示装置は、シーケンシャルカラー方式を用いて、ＤＭＤ（Digital Micromirror
Device）単板をＲＧＢ光で照明しカラー画像を表示するようになっている。その際、白色光源のランプからの照明光を回転カラーフィルタターレットによってＲＧＢ光に変換し順次出射するようにしているため、各色のサブフレーム時間は固定されている（例えば、特許文献１〜４参照。）。
【０００３】
【特許文献１】特許第３６４５３５０号明細書
【特許文献２】特開２００３−２４１７１４号公報
【特許文献３】特開２００３−１０２０３０号公報
【特許文献４】特開２００３−２８４０８８号公報
【発明の開示】
【発明が解決しようとする課題】
【０００４】
しかしながら、シーケンシャルカラー方式の場合に、ＲＧＢ光のような３原色の光を順次出射するので、急速な眼球運動が行われると画像の周囲において３原色の分離、いわゆるカラーブレイク現象が発生するという不都合がある。カラーブレイク現象は眼精疲労や精神的ストレスに繋がるため、極力抑えることが好ましい。
【０００５】
本発明は上述した事情に鑑みてなされたものであって、カラーブレイク現象の発生を抑制し、見やすさを向上することができるカラー画像表示装置を提供することを目的としている。
【課題を解決するための手段】
【０００６】
上記目的を達成するために本発明は以下の手段を提供する。
本発明は、異なる色の光を出射する複数の光源と、該複数の光源からの光を変調する光変調部と、入力された複数の異なる色のサブフレーム画像データの大きさに応じて各サブフレーム画像データにサブフレーム時間を割り当てて、前記光源および前記光変調部を制御するサブフレーム制御部とを備え、
該サブフレーム制御部は、前記サブフレーム画像データが小さくなるに従って、各サブフレーム画像データに割り当てるサブフレーム時間を短くするカラー画像表示装置を提供する。
【０００７】
本発明によれば、サブフレーム制御部に複数の異なる色のサブフレーム画像データが入力されると、その各サブフレーム画像データの大きさに応じて、各サブフレーム画像データにサブフレーム時間が割り当てられる。サブフレーム時間は、サブフレーム画像データが小さい場合には短縮され、より色毎の表示時間を短縮することができ、カラーブレイク現象の発生を抑制することができる。
【０００８】
上記発明においては、前記サブフレーム制御部が、サブフレーム画像データにおける複数画素の階調値を色別に分析して前記データゲインを各色のサブフレーム画像データに乗算して前記光変調部に出力するスケーリング部と、前記サブフレーム時間に応じて前記光源を点灯させるよう制御する点灯制御部とを備えることとしてもよい。
【０００９】
このようにすることで、画像信号分析部の作動により、入力されたサブフレーム画像データの複数画素の階調値が色別に分析されて色毎のデータゲインおよびサブフレーム時間が出力される。そして、スケーリング部の作動により、データゲインが各色のサブフレーム画像データに乗算されて光変調部に出力される。また、サブフレーム時間に応じて光源が点灯させられる。これにより、複数の光源からそれぞれのサブフレーム時間に応じた光量の光が出射され、サブフレーム画像データとデータゲインとを乗算して得られたデータにより、階調値が達成されるように光変調部が作動させられる。
【００１０】
また、上記発明においては、前記画像信号分析部が、前記サブフレーム画像データにおける複数画素の階調値の最大値を色別に検出し、検出された色別の最大値に応じたサブフレーム時間を出力し、かつ、入力されるサブフレーム画像データの上限値を、前記検出された色別の最大値で除算した値を前記データゲインとして出力することとしてもよい。
このようにすることで、例えば、色別の最大値が小さい場合には、データゲインが大きく設定され、サブフレーム時間が短く設定されるので、表示期間が短縮されてカラーブレイク現象（色が分離して虹色に見える現象）の発生を抑制することができる。また、光源の点灯時間を最小限に抑えて省エネを図るとともに、迷光を低減して画像のコントラストの低下を防止することができる。
【００１１】
また、上記発明においては、前記異なる色全てのサブフレーム画像データを表示する１周期の時間であるフレーム時間を一定とし、前記画像信号分析部から出力されるサブフレーム時間の合計がフレーム時間より短い場合に、光源を点灯しない非表示時間を設けることとしてもよい。
このようにすることで、フレーム時間を一定として動画に対応することができる。非表示時間が設けられた各フレームにおいては、表示期間が短縮されるので、カラーブレイク現象の発生を抑制することができる。
【００１２】
また、上記発明においては、前記画像信号分析部から出力されるサブフレーム時間の合計がフレーム時間の半分より短い場合に、全サブフレーム画像の表示を繰り返すこととしてもよい。
このようにしても、フレーム時間を一定にして動画に対応でき、かつ、カラーブレイク現象の抑制を図り、しかも、空いた時間を利用して繰り返し表示することにより、１フレームでの階調表現力を向上することができる。
【発明の効果】
【００１３】
本発明によれば、カラーブレイク現象の発生を抑制し、見やすさを向上することができるという効果を奏する。
【発明を実施するための最良の形態】
【００１４】
本発明の一実施形態に係るカラー画像表示装置１について、図１および図２を参照して以下に説明する。
本実施形態に係るカラー画像表示装置１は、図１に示されるように、ＲＧＢ３原色の光をそれぞれ出射可能な３つの光源２，３，４と、該光源２，３，４からの光を合成する合成プリズム５と、該合成プリズム５により同一光路に合成された光を導光する間に指向性を高める照明光学系６と、該照明光学系６の出口に配置された液晶素子（光変調部）７と、該液晶素子７を透過した光を投影する投影レンズ８と、前記光源２，３，４および前記液晶素子７を制御するサブフレーム制御部９とを備えている。
前記光源２，３，４は、例えば、それぞれ、ＬＥＤ２ａ，３ａ，４ａと、該ＬＥＤ２ａ，３ａ，４ａを駆動制御する駆動部２ｂ，３ｂ，４ｂと、ＬＥＤ２ａ，３ａ，４ａからの光を一方向に指向させるリフレクタ２ｃ，３ｃ，４ｃとを備えている。
【００１５】
前記サブフレーム制御部９は、入力されるフレーム画像データを分析して、データゲイン（Ｇｒ，Ｇｇ，Ｇｂ）とサブフレーム時間（Ｆｒ，Ｆｇ，Ｆｂ）とを決定する画像信号分析部１０と、入力されるフレーム画像データと前記データゲイン（Ｇｒ，Ｇｇ，Ｇｂ）とに基づいてサブフレーム画像データを生成して液晶素子７に出力するスケーリング部１１と、決定されたサブフレーム時間（Ｆｒ，Ｆｇ，Ｆｂ）に同期して各駆動部２ｂ，３ｂ，４ｂを駆動する点灯制御部１２とを備えている。
ここで、入力されるフレーム画像データとは、カラー画像を赤（Ｒ）、緑（Ｇ）、青（Ｂ）の３色に分解したそれぞれの画像データからなるものとして、以下説明する。なお、入力されるフレーム画像データはＲＧＢに限るものではなく、例えば、ＹＣｒＣｂなどのカラー画像でも良い。ＹＣｒＣｂのカラー画像データが入力された場合には、サブフレーム制御部９の入力段階で、ＹＣｒＣｂをＲＧＢに変換する処理を加えればよい。
【００１６】
画像信号分析部１０は、色毎に、サブフレーム画像データの全画素の階調値を分析して最大値（Ｒｍａｘ，Ｇｍａｘ，Ｂｍａｘ）を検出する。そして、検出された最大値に応じてデータゲイン（Ｇｒ，Ｇｇ，Ｇｂ）とサブフレーム時間（Ｆｒ，Ｆｇ，Ｆｂ）とを出力する。
なお、ここで、Ｒ，Ｇ，Ｂ各最大値とは、画像データが表現できる最大階調値（以降、上限値）が１となるように正規化して求めたものであり、以降の説明でも同様である。
ここで、データゲイン（Ｇｒ，Ｇｇ，Ｇｂ）は、上限値１を最大値で除算した値、つまり最大値の逆数を算出して決める。一方、サブフレーム時間（Ｆｒ，Ｆｇ，Ｆｂ）は、サブフレーム時間の規定値に最大値を乗算して決める。
【００１７】
図２を例にして、このサブフレーム時間の規定値を説明する。サブフレーム時間の規定値とは、ＲＧＢ３色のデータゲイン（Ｇｒ，Ｇｇ，Ｇｂ）がそれぞれ等しい時、ＲＧＢ３色の照明光を合わせた光が白色となるように、すなわち光源光量や光変調部の透過率等を考慮した上でホワイトバランスが合うように求めたＲＧＢそれぞれのサブフレーム時間の比率であり、ＲＧＢ各サブフレーム時間の規定値は、ＲＧＢのうち最も長くなるサブフレーム時間が１となるように正規化して求める。以降では説明を簡単にするために各サブフレーム時間の規定値は、ＲＧＢ３色とも１とする。
【００１８】
第１フレームは、検出された最大値が、（Ｒｍａｘ，Ｇｍａｘ，Ｂｍａｘ）＝（１，１，１）となる場合であり、各色のサブフレーム時間（Ｆｒ，Ｆｇ，Ｆｂ）は最大値の逆数の（１，１，１）にフレーム時間の規定値（１，１，１）を乗算して決定される。
【００１９】
次に、第２フレームにおいては、検出された最大値が、（Ｒｍａｘ，Ｇｍａｘ，Ｂｍａｘ）＝（１，１，０．５）となる場合であり、各色のサブフレーム時間（Ｆｒ，Ｆｇ，Ｆｂ）は（１，１，０．５）として決定される。
【００２０】
その結果、全ての色のサブフレーム時間（Ｆｒ，Ｆｇ，Ｆｂ）の合計は第１フレームの（Ｆｒ，Ｆｇ，Ｆｂ）＝（１，１，１）の場合と比較して（２．５）／３倍に短縮される。
【００２１】
さらに、第３フレームにおいては、検出された最大値が、（Ｒｍａｘ，Ｇｍａｘ，Ｂｍａｘ）＝（０．３，０．７，０．５）となる場合であり、各色のサブフレーム時間（Ｆｒ，Ｆｇ，Ｆｂ）は（Ｆｒ，Ｆｇ，Ｆｂ）＝（０．３，０．７，０．５）となるように決定される。その結果、全ての色のサブフレーム時間（Ｆｒ，Ｆｇ，Ｆｂ）の合計は第１フレームの（Ｆｒ，Ｆｇ，Ｆｂ）＝（１，１，１）の場合と比較して１／２倍に短縮される。
【００２２】
画像信号分析部１０においては、決定されたサブフレーム時間（Ｆｒ，Ｆｇ，Ｆｂ）に応じて同期信号を生成し、決定されたサブフレーム時間（Ｆｒ，Ｆｇ，Ｆｂ）および同期信号を後述するスケーリング部１１および点灯制御部１２に向けて出力する。
【００２３】
次に、図２を使って、最大値に応じて、データゲイン（Ｇｒ，Ｇｇ，Ｇｂ）を出力する例を説明する。
【００２４】
データゲイン（Ｇｒ，Ｇｇ，Ｇｂ）は各レーム画像データの最大値の逆数となるので、第１フレームの場合、（Ｇｒ，Ｇｇ，Ｇｂ）＝（１，１，１）、第２フレームの場合、（Ｇｒ，Ｇｇ，Ｇｂ）＝（１，１，１／０．５）、第３フレームの場合、（Ｇｒ，Ｇｇ，Ｇｂ）＝（１／０．３，１／０．７，１／０．５）となるように決定される。決定されたデータゲインは、スケーリング部１１に出力される。
【００２５】
前記スケーリング部１１は、フレーム画像データと、画像信号分析部１０から出力されたデータゲイン（Ｇｒ，Ｇｇ，Ｇｂ）とを乗算してサブフレーム画像データを生成し、液晶素子７に出力するようになっている。
また、スケーリング部１１は、画像信号分析部１０から出力されたサブフレーム時間（Ｆｒ，Ｆｇ，Ｆｂ）に応じて生成された同期信号に同期して、サブフレーム画像データを液晶素子７に出力するようになっている。
【００２６】
前記点灯制御部１２は、前記画像信号分析部１０から入力されたサブフレーム時間（Ｆｒ，Ｆｇ，Ｆｂ）および同期信号を使用して、同期信号に同期するタイミングで、サブフレーム時間（Ｆｒ，Ｆｇ，Ｆｂ）にわたって各ＬＥＤ２ａ，３ａ，４ａを点灯するように駆動部２ｂ，３ｂ，４ｂに指令信号を出力するようになっている。
【００２７】
このように構成された本実施形態に係るカラー画像表示装置１の作用について説明する。
フレーム画像データが入力されると、画像信号分析部１０の作動により、データゲイン（Ｇｒ，Ｇｇ，Ｇｂ）とサブフレーム時間（Ｆｒ，Ｆｇ，Ｆｂ）が決定され、サブフレーム時間（Ｆｒ，Ｆｇ，Ｆｂ）に基づいて同期信号が生成される。決定されたデータゲイン（Ｇｒ，Ｇｇ，Ｇｂ）および同期信号は、スケーリング部１１に送られ、サブフレーム時間（Ｆｒ，Ｆｇ，Ｆｂ）および同期信号は点灯制御部１２に送られる。
【００２８】
スケーリング部１１においては、入力されたフレーム画像データにデータゲイン（Ｇｒ，Ｇｇ，Ｇｂ）を乗算することによりサブフレーム画像データが生成され、画像信号分析部１０から入力される同期信号に同期して液晶素子７に出力される。
点灯制御部１２においては、画像信号分析部１０から入力される同期信号に同期して、同じく入力されたサブフレーム時間（Ｆｒ，Ｆｇ，Ｆｂ）にわたって各ＬＥＤ２ａ，３ａ，４ａを点灯させる。
【００２９】
この場合において、本実施形態に係るカラー画像表示装置１によれば、サブフレーム時間（Ｆｒ，Ｆｇ，Ｆｂ）が、入力されるフレーム画像データの大きさによって決定されるので、フレーム画像データが小さい場合に、短いサブフレーム時間（Ｆｒ，Ｆｇ，Ｆｂ）でサブフレーム画像データが表示される。その結果、より色毎の表示時間を短縮することができ、カラーブレイク現象の発生を抑制することができる。
【００３０】
また、本実施形態に係るカラー画像表示装置１によれば、データゲイン（Ｇｒ，Ｇｇ，Ｇｂ）は、入力される各色のサブフレーム画像データの上限値を検出された色別の最大値で除算した値に設定されるので、最大値が大きい色については、小さいデータゲイン（Ｇｒ，Ｇｇ，Ｇｂ）が乗算されて、ＬＥＤ２ａ，３ａ，４ａへの供給電流が低減される。その代わり、最大値に応じたサブフレーム時間（Ｆｒ，Ｆｇ，Ｆｂ）で画像が表示されるので、最大値が大きい色については長いサブフレーム時間（Ｆｒ，Ｆｇ，Ｆｂ）が設定される。
【００３１】
その結果、入力されたフレーム画像データに相当する出力画像を表示することができる。また、最大値の大きな色の１フレーム内での階調表現力を向上することができる。さらに、ＬＥＤ２ａ，３ａ，４ａへの供給電力が低減されるので、発光効率を向上することができる。また、ＬＥＤ２ａ，３ａ，４ａの発光時間を最小限に抑えることができるので省エネルギに効果的である。
【００３２】
なお、本実施形態においては、フレーム画像データが小さい場合に、各色のサブフレーム時間（Ｆｒ，Ｆｇ，Ｆｂ）が短縮され、その合計であるフレーム時間自体も短縮される場合について説明したが、これに代えて、図３に示されるように、ＬＥＤ２ａ，３ａ，４ａを点灯させない消灯時間Ｔｓを設け、フレーム時間を一定にすることにしてもよい。このようにすることにより、フレーム時間を一定に維持して、フレーム画像データが動画である場合においても、適用することができる。また、このようにすることで、常時点灯するものと比べて、消灯時間が増えるので迷光を減らすことができてコントラスト低下を抑制することができる。
【００３３】
また、本実施形態においては、図４に示されるように、色毎のサブフレーム時間（Ｆｒ，Ｆｇ，Ｆｂ）の比率を維持しつつ延長する（図４に示す例では、１０／７倍に延長。）代わりに、光源２，３，４の光量をその分（７／１０倍）低下させることにしてもよい。このようにすることで、さらに省エネルギを図ることができる。
【００３４】
また、サブフレーム時間（Ｆｒ，Ｆｇ，Ｆｂ）の合計が、フレーム時間の半分以下となる場合には、図５に示されるように、サブフレーム画像データの出力を繰り返すことにしてもよい。このようにすることで、階調表現力を向上することができる。なお、サブフレーム時間（Ｆｒ，Ｆｇ，Ｆｂ）の合計の整数倍がフレーム時間とならない場合には、余った時間を非表示時間Ｔｓとしてフレーム時間を一定に維持することにより、動画にも対応できるようなることは、上記と同様である。
【００３５】
また、本実施形態においては、光変調部として液晶素子７を例示したが、これに代えて、ＤＭＤを採用してもよいことは言うまでもない。
また、本実施形態においては、データゲイン（Ｇｒ，Ｇｇ，Ｇｂ）およびサブフレーム時間（Ｆｒ，Ｆｇ，Ｆｂ）の決定に際して、フレーム画像データを色毎に分析して全画素の階調値の最大値を検出したが、これに代えて、全画素の色別ヒストグラム算出し、例えば、大きい順の１％の値をＲＧＢそれぞれで求めたものを検出することにしてもよい。また、その大きい順の１％以上の画素については、表現できなくなるので、視覚的に気にならないようなクリップ処理を行うことが好ましい。
【００３６】
また、光源としてＲＧＢ光を出射する３つのＬＥＤ２ａ，３ａ，４ａを採用したが、これに代えて、ＲＧＭＣＹ、ＲＧＢＹ、ＲＧＢＣＹＭなどを採用してもよい。
ここで、時間順次に異なるＲＧＢの３色等の所定数の色の光を順次に液晶素子７に出力しカラー画像を表示するいわゆるシーケンシャルカラー表示方法において、明るさ、色域、色バランスの異なる表示モードを自由に切り替える技術を説明する。
【００３７】
図６に示されたカラー画像表示装置２０は、シーケンスパターンを記憶する記憶部２１と、表示モードを選択するモード切替部２２と、該モード切替部２２により切り替えられた表示モードに対応するシーケンスパターンで光源２ａ，３ａ，４ａを制御する光源制御部２３と、そのシーケンスパターンに従って、入力されたフレーム画像データを色分解した光変調データを液晶素子７に対して出力する光変調制御部２４とを備えている。
【００３８】
前記モード切替部２２は、例えば、操作パネル（図示略）に表示モードの選択ボタンを備え、その押下によって指定された表示モードに従うシーケンスパターンを記憶部２１から読み出すようになっている。読み出されたシーケンスパターンは、光源制御部２３および光変調制御部２４に入力され、指定された表示モードに設定される。
【００３９】
光源制御部２３は、シーケンスパターンに従って、各ＬＥＤ２ａ，３ａ，４ａの駆動部２ｂ，３ｂ，４ｂを駆動し、Ｒ、Ｇ、Ｂ光の他、Ｒ＋Ｇ，Ｒ＋Ｂ，Ｇ＋Ｂ，Ｒ＋Ｇ＋Ｂ光を発生させることができるようになっている。
表１に記憶部２１に記憶されるシーケンスパターンの一例を示す。
【００４０】
【表１】
2008281707.tif 000003
【００４１】
この表１において、Ｉはシーケンスパターンを示す。また、Ｔはサブフレーム時間を規定するもので、フレーム時間を分割しそれぞれの時間比を示したものである。
これらのシーケンスパターンＰ１〜Ｐ５を図７に示す。
【００４２】
例えば、表１のシーケンスパターンＰ１は、Ｒ、Ｇ、Ｂの順序に点灯する表示パターンで、かつ、フレーム時間を１：２：１に分割して各色のサブフレーム時間（Ｆｒ，Ｆｇ，Ｆｂ）としたものである。１：２：１の期間は、１フレーム時間を１／６０秒とすると、Ｒ光のＬＥＤ２ａのみを１／２４０秒点灯し、Ｇ光のＬＥＤ３ａのみを２／２４０秒点灯し、Ｂ光のＬＥＤ４ａを１／２４０秒のサブフレーム時間（Ｆｒ，Ｆｇ，Ｆｂ）となることを示している。
【００４３】
これによれば、シーケンスパターンＰ１は、標準的な表示パターンであり、シーケンスパターンＰ２は、ＭＹＣの色順のシーケンスパターンを示す。色域がシーケンスパターンＰ１に対して約１／３程度、明るさが２倍程度となる表示パターンである。また、シーケンスパターンＰ３は、ＲＧＢＣＹＭのシーケンスパターンを示す。色度図上はシーケンスパターンＰ１と同じであるが、輝度方向も含め色域が狭まり、明るさは１．５倍となる。また、シーケンスパターンＰ４．Ｐ５は、色域がシーケンスパターンＰ３と同じであるが、明るさはシーケンスパターンＰ１と比較して１．５倍程度であり、かつ、Ｇ色の発光時間を長くすることができる表示パターンである。
【００４４】
すなわち、標準としてのシーケンスパターンＰ１と比較すると、シーケンスパターンＰ２は最も明るくでき、シーケンスパターンＰ３は、彩度をある程度保ちながら１．５倍に明るくすることができる。また、シーケンスパターンＰ３，Ｐ４，Ｐ５は、いずれもシーケンスパターンＰ１に対して明るさを１．５倍程度とし、色域においても大きな特徴的な差はないが、ホワイトバランスをとるためのＲＧＢ各ＬＥＤの発光量で不足し易いＧ光を補うＹ，Ｃを含んだシーケンスパターンとして使うとよい。
【００４５】
シーケンスパターンＰ１に比べ、他のシーケンスパターンＰ２〜Ｐ５は、色域を犠牲にして明るさ不足を補うもので、Ｒ、Ｇ、Ｂの純色など鮮やかな色を必要としない画像を表示する際に明るい表示を行うことができるという利点がある。
逆に、鮮やかな色を画像処理で抑え、シーケンスパターンＰ２で表示することにより、シーケンスパターンＰ１より十分に明るく表示することができる。
【００４６】
なお、シーケンスパターンはこれらＰ１〜Ｐ５に限定されるものではなく、また、色順とサブシーケンス時間の比率とにより表すことに代えて、電流値によって表すことにしてもよい。また、時間比率で表すことに代えて、時間幅を指定した情報により設定することにしてもよい。
【図面の簡単な説明】
【００４７】
【図１】本発明の一実施形態に係るカラー画像表示装置を示す全体構成図である。
【図２】図１のカラー画像表示装置のシーケンスパターンの一例を示す図である。
【図３】図２のシーケンスパターンの第１の変形例を示す図である。
【図４】図２のシーケンスパターンの第２の変形例を示す図である。
【図５】図２のシーケンスパターンの第３の変形例を示す図である。
【図６】カラー画像表示装置の他の実施例を示す全体構成図である。
【図７】図６のカラー画像表示装置のシーケンスパターンの例を示す図である。
【符号の説明】
【００４８】
Ｆｒ，Ｆｇ，Ｆｂ  サブフレーム時間
Ｇｒ，Ｇｇ．Ｇｂ  データゲイン
１  カラー画像表示装置
２，３，４  光源
７  液晶素子（光変調部）
９  サブフレーム制御部
１０  画像信号分析部
１１  スケーリング部
１２  点灯制御部
【図１】
2008281707.tif 000004
【図２】
2008281707.tif 000005
【図３】
2008281707.tif 000006
【図４】
2008281707.tif 000007
【図５】
2008281707.tif 000008
【図６】
2008281707.tif 000009
【図７】
2008281707.tif 000010